(57)【要約】      （修正有）【課題】検索語自動完成機能と連動する推薦結果の提供方法を提供する。【解決手段】（ａ）ユーザ端末がウェブサイトに接続し、該サイトの検索用ユーザインターフェースである検索ボックスで検索語を入力し始める段階と、（ｂ）ウェブサイトの自動完成質疑サーバが、（ａ）段階で入力中の検索語に対応して推薦検索語を第１の領域（推薦検索語リスト領域）に表示する段階と、（ｃ）（ａ）段階で入力中の検索語に対応して、ウェブサイトのデータベースから抽出された推薦情報を第２の領域（推薦情報リスト領域）に表示する段階と、（ｄ）第２の領域に表示された推薦情報について入力手段のアクションが生じる場合、選択された推薦情報に関する要約情報を第３の領域（プレビューコンデンツ領域）に表示する段階と、（ｅ）推薦情報を選択するか、あるいは（ｄ）段階の要約情報を選択することで該推薦情報の詳細ページに移動する段階と、を含む。【選択図】図２
2014081918.tif 000002
【特許請求の範囲】
【請求項１】
（ａ）ユーザ端末がウェブサイトに接続し、該サイトの検索用ユーザインターフェースである検索ボックスで検索語を入力し始める第１の段階と、
（ｂ）前記ウェブサイトの自動完成質疑サーバが、前記第１の段階において入力中の検索語に対応して推薦検索語を第１の領域（推薦検索語リスト領域）に表示する第２の段階と、
（ｃ）前記第１の段階で入力中の検索語に対応して、前記ウェブサイトのデータベースから抽出された推薦情報を第２の領域（推薦情報リスト領域）に表示する第３の段階と、
（ｄ）前記第２の領域に表示された推薦情報について入力手段のアクションが生じる場合、選択された推薦情報に関する要約情報を第３の領域（プレビューコンデンツ領域）に表示する第４の段階と、
（ｅ）前記推薦情報を選択するか、あるいは前記第４の段階の要約情報を選択することで該推薦情報の詳細ページに移動する第５の段階と、を含み、
前記第１の領域、第２の領域及び第３の領域は、前記検索ボックスの下方で互いに隣接して並んで配される、検索語自動完成機能と連動する推薦結果の提供方法。
【請求項２】
前記第１の領域に表示される推薦検索語は検索ログに基づき、前記検索ボックスに入力中の検索語字素単位に対応して前方一致推薦検索語と表示される請求項１に記載の検索語自動完成機能と連動する推薦結果の提供方法。
【請求項３】
前記第２の領域に表示される推薦情報は、前記検索ボックスに入力中の検索語字素単位に対応して、前方一致、後方一致及び中間一致のうちいずれか一つの推薦情報が表示される請求項１に記載の検索語自動完成機能と連動する推薦結果の提供方法。
【請求項４】
前記ウェブサイトの前記自動完成質疑サーバは、前記推薦検索語及び前記推薦情報を字素単位で索引をつけてキャッシュファイル形態にメモリに常駐させる請求項１に記載の検索語自動完成機能と連動する推薦結果の提供方法。
【請求項５】
前記ウェブサイトは、購買またはレンタル可能な品物情報を提供するインターネットサイトである請求項１に記載の検索語自動完成機能と連動する推薦結果の提供方法。
【請求項６】
前記ウェブサイトは、知識情報を提供するインターネットサイトである請求項１に記載の検索語自動完成機能と連動する推薦結果の提供方法。
【請求項７】
前記ウェブサイトは、営利機関または非営利機関のインターネットサイトであり、人的資源に関するデータベースを構築している請求項１に記載の検索語自動完成機能と連動する推薦結果の提供方法。
【請求項８】
前記プレビューコンデンツは、イメージ領域とテキスト領域とに区切られるコンデンツである請求項１に記載の検索語自動完成機能と連動する推薦結果の提供方法。
【請求項９】
前記ユーザ端末が、前記プレビューコンデンツを入力手段によって選択すれば、前記プレビューコンデンツに含まれているＵＲＬに検索ページのメインページを変更する請求項１に記載の検索語自動完成機能と連動する推薦結果の提供方法。
【発明の詳細な説明】
【技術分野】
【０００１】
本発明は、検索技術に係り、特に検索語を自動完成して検索結果を表示する方法に関する。
【背景技術】
【０００２】
最近のようにインターネットの発達した時代には、検索エンジンを通じて所望の情報を容易に捜し出すことができる。例えば、グーグルのウェブサイトで検索語を入力して所望の情報を容易に取得できる。検索技術は、一方では、入力された検索語に対応して検索エンジンが正確で速くユーザの所望の情報を抽出して表示する方向に発展してきた。他方では、ユーザの所望の情報は検索語（キーワード）と密接な関連を持つため、検索語自体に関する多様なビジネスモデルに発展する傾向を見せた。
【０００３】
検索語自動完成技術は、特に後者に関する。自動完成技術は、検索語を入力するユーザが字素単位で検索語を入力する時、既存ユーザの検索ログに基づいて字素単位で一致する検索語を推薦する技術である。ユーザに、さらに容易かつ速く検索できる便利さを提供できる。検索語自動完成機能を行うアルゴリズムがシステムに設けられる。ユーザが検索ボックスに検索語を入力し始めれば、システムは、蓄積された検索ログを用いて検索ボックスの下方に予想検索語リストを提示する。また検索語入力が進むにつれて提示されたリストをリアルタイムで入れ替えて表示する。自動完成で提示された予想検索語リストのうち、所望の検索語があれば、マウスを移してクリックするだけで検索語の入力が可能になる。
【０００４】
検索語自動完成技術を用いれば、ユーザは、入力しようとする検索語の一部のみ入力しても所望の検索語をすぐ確認できるという長所がある。検索語自動完成技術の他の長所は、検索語を正確に憶えていない時にも、予想検索語によって所望の検索結果が得られるという点である。また、自動完成で提示された複数の検索語でユーザに新たな興味を引き起こす場合があり、これは、ユーザが新たな情報を得られるきっかけになりうる。
【０００５】
最近、検索語自動完成技術に加えてコンテンツを提供しようとする試みがあった。代表的なものとして、グーグル検索がある。図５は、インターネットサイトのユーザ画面１０の構成例を概略的に示すものである。検索ボックス１１に検索語を入力し始めれば、下方のリスト領域１２に予想検索語リストを表示する。この時、メインページ１３も、予想検索語に対応して検索結果を表示する。すなわち、この従来技術は、予想検索語を自動完成しつつメインページに検索結果を共に表示するようになっている。なるべく速かに検索結果をユーザに提示するという点が長所である。
【０００６】
しかし、この従来技術は、グーグルなどの検索専用サイトではある程度は有効であるが、メインページ１３に特定の意味づけがされた情報を表示する場合には、適していない。その理由は、検索語の自動完成アルゴリズムにウェブサイトを従属させてしまうことになって、ほとんどのウェブサイトの場合には、ユーザと運用者の両方に不便さ及び不快感をもたらすからである。例えば、メインページ１３がいずれかの製品やサービスに関する情報を提供する場合、ウェブサイトがオンラインマーケットとして機能する場合、公共機関のウェブサイト、言論社ウェブサイト、ポータルサイトなどほとんどのウェブサイトでは、メインページ１３を検索語の自動完成アルゴリズムと連動して入れ替えることは現実的に不可能であるといえる。
【０００７】
その上、検索語自動完成技術は、検索ログに基づいて動作するため、検索量の少ないところには適用し難いので、ショッピングモールなどの、一般的な単語の検索ではなく商品名の検索が必要なサイトでは活用率が落ちるという問題点があった。したがって、検索専用サイトではなくウェブサイトで検索語自動完成技術を効率的に適用するためには、さらなる応用技術が模索されねばならない。
本発明者らは、前記従来技術の問題点を解決するために長い間鋭意研究した結果、本発明の完成に到達した。
【発明の概要】
【発明が解決しようとする課題】
【０００８】
本発明の目的は、メインページでの移動がなくても検索語自動完成機能を用いて詳細情報を確認して選別できる方法を提供するところにある。これを通じて検索しようとするユーザが、所望の情報に速かにかつ正確に近づけられる環境を提供する。
一方、本発明の明示されていないさらに他の目的は、下記の詳細な説明及びその効果から容易に推論できる範囲内でさらに考慮されるであろう。
【課題を解決するための手段】
【０００９】
前記課題を解決するために本発明は、（ａ）ユーザ端末がウェブサイトに接続し、該サイトの検索用ユーザインターフェースである検索ボックスで検索語を入力し始める第１の段階と、（ｂ）前記ウェブサイトの自動完成質疑サーバが、前記第１の段階において入力中の検索語に対応して推薦検索語を第１の領域（推薦検索語リスト領域）に表示する第２の段階と、（ｃ）前記第１の段階で入力中の検索語に対応して、前記ウェブサイトのデータベースから抽出された推薦情報を第２の領域（推薦情報リスト領域）に表示する第３の段階と、（ｄ）前記第２の領域に表示された推薦情報について入力手段のアクションが生じる場合、選択された推薦情報に関する要約情報を第３の領域（プレビューコンデンツ領域）に表示する第４の段階と、（ｅ）前記推薦情報を選択するか、あるいは前記第４の段階の要約情報を選択することで該推薦情報の詳細ページに移動する第５の段階と、を含み、前記第１の領域、第２の領域及び第３の領域は、前記検索ボックスの下方で互いに隣接して並んで配されることを特徴とする。
また、本発明の望ましい一実施形態による検索語自動完成機能と連動する推薦結果の提供方法において、前記第１の領域に表示される推薦検索語は検索ログに基づき、前記検索ボックスに入力中の検索語字素単位に対応して前方一致推薦検索語と表示される。
また、本発明の望ましい一実施形態による検索語自動完成機能と連動する推薦結果の提供方法において、前記領第２の領域に表示される推薦情報は、前記検索ボックスに入力中の検索語字素単位に対応して、前方一致、後方一致及び中間一致のうちいずれか一つの推薦情報が表示される。
また、本発明の望ましい一実施形態による検索語自動完成機能と連動する推薦結果の提供方法において、前記ウェブサイトの前記自動完成質疑サーバは、前記推薦検索語及び前記推薦情報を字素単位で索引をつけてキャッシュファイル形態にメモリに常駐させる。
また、本発明の望ましい一実施形態による検索語自動完成機能と連動する推薦結果の提供方法において、前記ウェブサイトは、購買またはレンタル可能な品物情報を提供するインターネットサイトである。
また、本発明の望ましい他の実施形態による検索語自動完成機能と連動する推薦結果の提供方法において、前記ウェブサイトは、知識情報を提供するインターネットサイトである。
また、本発明の望ましいさらに他の実施形態による検索語自動完成機能と連動する推薦結果の提供方法において、前記ウェブサイトは、営利機関または非営利機関のインターネットサイトであり、人的資源に関するデータベースを構築している。
また、本発明の望ましい一実施形態による検索語自動完成機能と連動する推薦結果の提供方法において、前記プレビューコンデンツは、イメージ領域とテキスト領域とに区切られるコンデンツである。
また、本発明の望ましい一実施形態による検索語自動完成機能と連動する推薦結果の提供方法において、前記ユーザ端末が、前記プレビューコンデンツを入力手段によって選択すれば、前記プレビューコンデンツに含まれているＵＲＬに検索ページのメインページを変更する。
【発明の効果】
【００１０】
本発明によれば、検索結果ページを見た後、所望の項目別詳細ページに移動しなくてもユーザの所望のページを予め提示できるという長所がある。よって、ユーザは、所望の検索結果をさらに迅速かつ正確に得られる。
本発明の明細書で具体的に述べられていない効果であっても、本発明の技術的特徴によって期待される暫定的な効果は、本発明の明細書に記載されたものと見なす。
【図面の簡単な説明】
【００１１】
【図１】本発明によるシステム構成の例を概念的に示す図面である。
【図２】本発明の一実施形態によるユーザ画面構成例を示す図面である。
【図３】本発明のユーザインターフェースにおける第１の領域１２０、第２の領域１３０及び第３の領域１４０の関係を、検索ログ３００及び商品ＤＢ４００との関係に基づいて示す図面である。
【図４】本発明の一実施形態において使われる自動完成検索システムの構造を示す図面である。
【図５】従来の自動完成プロセスによる画面構成の例を示す図面である。
【発明を実施するための形態】
【００１２】
以下、添付した図面を参照して本発明の実施のための具体的な内容を説明する。本発明の説明に際して、本発明に関連する公知機能について、当業者に明らかな事項であって本発明の趣旨を不明確にすると判断される場合には、その詳細な説明を省略する。
本明細書で使われる用語の意味と、それが包括する範囲とについて、次のように定義する。
１．「字素単位」は、検索語自動完成機能を行うための基本になる単位と定義する。韓国語、日本語、中国語、英語など各国の言語ごとにその言語の特性にあわせて検索語自動完成の単位が変わりうるが、その差にもかかわらず検索語自動完成機能を行う単位が本明細書の「字素単位」という用語に包含されるということを宣言する。
一般的に字素単位は、ある言語の文字体系で音素を表示する最小の弁別的単位であり、文字あるいは文字結合子あるいは文字結合、例えば、音素／ｐ／の表示に使われるｐｉｎのｐ、ｈｏｐｐｉｎｇのｐｐ、ｈｉｃｃｏｕｇｈのｇｈはいずれも一字素の構成素になる。しかし、本発明での字素単位は、かかる言語学的分析に制限されず、韓国語だけではなく英語のアルファベット、日本語のヒラガナなどで多様に適用される検索語自動完成単位を含むものである。
２．本発明の「メインページ」とは、検索ボックスと独立した領域であって該ウェブサイトが主に提供する情報を表示するウェブページ領域を意味し、普段、検索語を入力して検索を最終要請した時に検索結果が表示される領域でもある。
【００１３】
本発明の推薦結果の提供方法は、検索語自動完成機能と連動する。そして推薦結果は、ユーザ端末１の画面に表示されるインターネットサイトのユーザインターフェースによってユーザ端末１に提供される。
図１は、本発明の検索システムの概略的な構成を示す。ユーザ端末１は、インターネットサイトの検索ページ１００に接続する。インターネットサイトは多くの情報を提供するため、ユーザ端末１は、所望の情報について検索し、それによってアクセスする。検索は、検索ボックスなどのユーザインターフェースを提供する検索ページ１００を通じて行われる。検索ページ１００は、インターネットサイトの構成要素であり、検索結果は、該インターネットサイトのデータベースを用いる。
【００１４】
ユーザ端末１は、検索ページ１００の検索ボックスに検索のための検索語を入力し、検索語が字素単位で入力される度に、自動完成質疑サーバ２００を通じて検索語推薦リスト及び商品推薦リストを獲得する。自動完成質疑サーバ２００は、検索語推薦リスト及び商品推薦リストの早い応答のために、商品データベース４００及び検索ログ３００で推薦キーワードに字素単位索引（Ｉｎｄｅｘｉｎｇ）をつけてメモリ上にキャッシュファイルの形態で常駐させ、キーボード入力時に要請される質疑を速く処理する。
【００１５】
インターネットサイトの資源管理及びデータ処理は、該サイトの管理サーバ（図示せず）が担当する。本発明において、１つ以上の管理サーバの機能及び役目は主な関心事ではない。それは、既知の構成が用いられてもよく、そのサーバの多様な変形及び構造によって本発明の思想が制限されるものではないからである。
【００１６】
図２は、本発明の方法が行われる望ましいユーザ画面構成の例を示す。すなわち、本発明の検索システムが構築されたウェブサイトに提供する検索ページ１００において、ユーザインターフェースの構成の例になる。検索ページ１００は、検索語を入力できるユーザインターフェースである検索ボックス１１０を備える。
【００１７】
本発明のウェブサイトは、後述するように、進行中の検索アクションに関してユーザに多段階で検索結果を薦めるものであり、検索語自動完成技術と推薦情報とを同時に提供するのに好適なウェブサイトであることが望ましい。本発明の望ましい一実施形態において、本発明のウェブサイトは、購買またはレンタルできる品物情報を提供するインターネットサイトでありうる。例えば、品物を購買できる代表的なインターネットサイトには、オンラインショッピングモールサイトがある。オンラインショッピングモールサイトは非常に多い商品情報が搭載されているため、ユーザは、カテゴリーを用いて商品情報にアクセスするか、または検索により商品情報にアクセスする。本発明の方法は、後者にポイントをあわせている。オンラインショッピングモールサイトは、電子製品と生活用品などの有形の品物を販売するサイトだけではなく、無形のコンテンツやサービスを販売するサイトを含む。また、アマゾン（登録商標）などの図書販売サイトやアップルストア（登録商標）などのソフトウェアをオンラインで販売するサイトを含む。
【００１８】
本発明の望ましい他の実施形態において、本発明のウェブサイトは、知識情報を提供するインターネットサイトでありうる。代表的に、インターネット百科辞書や技術用語辞書がこれに含まれる。最近、同じ用語であっても非常に多様な意味として活用される場合が多い。用語は同一であるものの分野によって互いに異なる意味を持つ場合、あるいは用語は類似しているが、完全に異なる意味を持つ場合に、これに関した知識情報を提供するウェブサイトが、単純に検索語を自動完成するサービスを提供するとしても、迅速かつ正確に所望の検索結果を得ようとするユーザのニーズを完全に満たし難い。本発明の方法によれば、そのようなユーザのニーズを十分に満たすことができるという長所がある。
【００１９】
本発明のさらに他の実施形態において、本発明のウェブサイトは、営利機関または非営利機関のインターネットサイトであり、人的資源に関するデータベースを構築しているウェブサイトでありうる。例えば、大規模な株式会社などの営利機関のウェブサイトのデータベースには、多くの情報があるだけではなく、特に勤めている人に関する人物情報を含む。これまでは、自動完成技術だけでは容易に人物情報を検索し難かった。検索ログのあまりない人物に関する情報、同名異人の場合、検索語と人物情報の名前とが中間一致した場合などには、ユーザは、試行錯誤を繰り返さねばならないか、または、検索語入力よりはカテゴリー検索に迂回せねばならないという面倒さがある。本発明は、後述する方法によってさらに効果的な人物検索方法を提案する。また、企業の人物情報よりさらに多い資源を備えているウェブサイトがある。それは、行政機関のウェブサイトである。行政機関のウェブサイトで人物検索を行う場合に、本発明の方法が好適に使われる。
【００２０】
図２で、ユーザ端末は、前記ウェブサイトの検索ページ１００に接続し、検索ボックス１１０に検索語を入力し始める。ユーザ端末は、入力手段、例えば、キーボードを通じて字素単位で検索語を入力するが（これを「入力中の検索語」と表現できる）、入力する度に自動完成質疑サーバ（図１の２００）に結果を要請し、その結果を検索ボックス１００の直下側で横に３段の独立領域で、多段階かつリアルタイムで表示する。
【００２１】
図２の実施形態は、コーヒーなどの生活用品についてのショッピングモールサイトでの商品検索に関する。ユーザは、ウェブサイトに接続して特定商品を検索しようとする状況である。
ユーザ端末が検索語を入力し始めれば、普段は第１の領域（推薦検索語リスト領域）１２０に、検索ログに基づいて予想する１つ以上の推薦検索語がリストに表出される。従来技術によれば、この時、ユーザが推薦検索語を選択するか、または入力された検索語についての検索結果要請ボタンを選択すれば、メインページ１３０は、検索結果ページに移動する。検索結果ページは１つ以上の検索結果を表示し、再びユーザ端末は、検索結果ページのリストのうちいずれか一つを選択することで所望の最終検索結果情報に近付くようになる。
【００２２】
しかし、本発明では、検索結果ページを経由しなくても直ぐ最終検索結果情報に近付く。第１の領域１２０に、自動完成による推薦検索語リストを表示する。「コ」が入力された状態で「コ」で始まる検索語検索ログに基づいて、「コ」に対応する前方一致推薦検索語である「コーヒー」、「コーヒーミックス」、「コカ・コーラ」（登録商標）がリストとして第１の領域１２０に提示される。
また図２に示したように、第１の領域１２０に隣接して、望ましくは右側に、第２の領域（推薦情報リスト領域）１３０に入力中の検索語「コ」に対応し、該ウェブサイトのデータベースから予め抽出されてキャッシュファイル形態で自動完成質疑サーバ２００のメモリに常駐している１つ以上の商品情報をリストとして薦める。図２の実施形態では、「コ」が含まれている商品情報として３つの推薦商品が第２の領域１３０に提示された。入力された「コ」とマッチする前方一致推薦商品のみ抽出されるものではなく、「コカ・コーラ」（登録商標）のように中間一致推薦商品も共に抽出される。検索語を自動完成することとは異なって、推薦商品を表示することは、前方一致、後方一致だけではなく中間一致も含ませることで、さらに迅速かつ正確な検索結果を提示可能になる。
【００２３】
そして、第２の領域１３０に隣接している第３の領域１４０（プレビューコンデンツ領域）には、第２の領域に対応する推薦商品に関する要約情報が、イメージ１４１及びテキスト（名称とコストなど）１４２を含んで表示される。図２は、ショッピングモールサイトを例示したものであるが、例えば、該ウェブサイトが電子図書館またはオンライン書店であるといえば、イメージ領域１４１には、予想検索語で完成された名称の図書の表紙イメージが表出される。またテキスト領域１４２には、該図書の名称、著者、出版社、価格などの情報が表示される。
【００２４】
ユーザは、プレビューコンデンツを見るだけで、該予想検索語が所望のものであるかどうかがすぐ分かり、別途の検索結果ページへの移動なしに、プレビューコンデンツを選択するだけで所望の検索結果を迅速かつ正確に得られる。
【００２５】
第３の領域１４０に表示される要約情報に対応する第２の領域１３０に表示される推薦商品は、第２の領域１３０のリストのうち最上段に表示される商品がデフォルトとして定められる。結局、検索ボックス１１０が入力される間に、その字素単位とマッチして第１の領域、第２の領域及び第３の領域に表示されるデータがリアルタイムで変わる。また、第２の領域１３０に現在リストアップされた推薦商品について、特定推薦商品に入力手段のアクションが生じる場合、例えば、マウスカーソルのロールオーバのようなアクションが生じる場合、該推薦情報に対応する要約情報で第３の領域１４０を更新する。
【００２６】
例えば、図２の第２の領域１３０で「ソウルコーヒー牛乳２００ｍｌ」３という推薦商品にマウスカーソルがロールオーバされる場合に、第３の領域１４０に表示される要約情報は「ソウルコーヒー牛乳２００ｍｌ」３に関する情報になる。すなわち、第２の領域１３０での入力手段のアクションによって第３の領域１４０の要約情報が変わる。
【００２７】
前記第３の領域１４０の要約情報（対応推薦商品に関するプレビュー情報）はＵＲＬを含み、これを入力手段によって選択すれば、すぐ該商品の詳細ページに移動する。図３は、図２の実施形態をさらに構造的に説明したものである。検索ボックスに入力中の検索語がある。入力中の検索語の字素単位に対応して、第１の領域１２０には自動完成技術による推薦検索語が表示される。これは、先行検索の検索ログ３００に基づいて定められる。また、入力中の検索語の字素単位とマッチして第２の領域１３０に、商品情報データベース４００から予め抽出されている推薦商品をリストで表示する。これら推薦商品とマッチする商品の要約情報を、デフォルト（最上段の推薦商品とマッチするように設定）として第３の領域１４０に表示するか、または、第２の領域で発生する推薦商品についての選択アクション（マウスカーソルのオーバ）に関するマッチとして表示する。
【００２８】
図２及び図３の実施形態において、ウェブサイトはショッピングモールウェブサイトであって、商品情報の提供に関するが、必ずしも商品に制限されるものではなく、前述したように、知識検索あるいは人物検索時にも同じパターンで第１の領域、第２の領域及び第３の領域における表示が定められる。第１の領域、第２の領域及び第３の領域の位置は、検索ボックスの下方で互いに隣接して並んで配されることが望ましい。
【００２９】
図４は、本発明の自動完成質疑サーバ２００の構造の一例を示すシステム構成である。先ず、自動完成キーワード抽出モジュール２１０が検索ログ３００及び商品ＤＢ ４００にアクセスすれば、検索ログ３００及び商品ＤＢ４００からそれぞれ検索語基盤キーワード２３０及び商品名基盤キーワード２４０を抽出をする。この時、予め定義された禁則語２２０を適用し、自動完成キーワードリスト露出時に露出されてはならないキーワードはフィルタリングする。生成された検索語基盤キーワード２３０及び商品名基盤キーワード２４０は、再び自動完成キャッシュ生成モジュール２５０を通じて字素単位で索引がつけられた後、キャッシュファイル形態に生成され、これを自動完成サービスサーバ２９０に伝送２６０する。
【００３０】
自動完成サービスサーバ２９０では、メモリに検索語推薦キャッシュファイル２７０及び商品推薦キャッシュファイル２８０を常駐させる。このような準備過程が完了し、検索ユーザ１が検索ページ１００を通じて検索ボックス１１０（図２）に検索語を入力すれば、自動完成サービスサーバ２９０を通じて検索語推薦リスト１２０及び商品推薦リスト１３０を同時に示す。
【００３１】
本発明の保護範囲は、以上で明示的に説明した実施形態の記載及び表現に制限されるものではない。また、本発明が属する技術分野で明らかな変更や置換によって本発明の保護範囲が制限されるものではないということはいうまでもない。
【産業上の利用可能性】
【００３２】
本発明は、検索技術関連の技術分野に好適に用いられる。
【符号の説明】
【００３３】
１００  検索ページ
１１０  検索ボックス
１２０  第１の領域（推薦検索語リスト領域）
１３０  第２の領域（メインページ）
１４０  第３の領域（プレビューコンデンツ領域）
１４１  イメージ領域
１４２  テキスト領域
【図１】
2014081918.tif 000003
【図２】
2014081918.tif 000004
【図３】
2014081918.tif 000005
【図４】
2014081918.tif 000006
【図５】
2014081918.tif 000007